(57)【要約】 【課題】  本発明は、何の技術を持っていない人でも簡単に水栓器具に取り付けることができ、漏水事故の発生も減らすことができる洗濯機用ホースを提供することを目的とするものである。【解決手段】  本発明は、給水ホースの一端にはパイプを、前記給水ホースの他端には洗濯機側接続管を取り付け、前記パイプにはストッパー若しくはフランジを設け又はストッパーリングを嵌め込んで水栓器具に接続し、袋ナットにより前記パイプを固定することを特徴とする洗濯機用ホースの構成とした。【選択図】  図１
2005058467.tif 000002
【特許請求の範囲】
【請求項１】
給水ホースの一端にはパイプを、前記給水ホースの他端には洗濯機側接続管を取り付け、前記パイプにはストッパーを設けて水栓器具に接続し、袋ナットにより前記パイプを固定することを特徴とする洗濯機用ホース。
【請求項２】
給水ホースの一端にはパイプを、前記給水ホースの他端には洗濯機側接続管を取り付け、前記パイプにはストッパーリングを嵌め込んで水栓器具に接続し、袋ナットにより前記パイプを固定することを特徴とする洗濯機用ホース。
【請求項３】
給水ホースの一端にはパイプを、前記給水ホースの他端には洗濯機側接続管を取り付け、前記パイプにはフランジを設けて水栓器具に接続し、袋ナットにより前記パイプを固定することを特徴とする洗濯機用ホース。
【請求項４】
ネジアダプタの一端には水栓器具に接続するメスネジを、前記ネジアダプタの他端には洗濯機用ホースに接続するオスネジを、前記ネジアダプタの外周にはスパナ口を設け、洗濯機用ホースに接続して使用することを特徴とする洗濯機用ホース。
【発明の詳細な説明】
【技術分野】
【０００１】
本発明は、水栓器具より洗濯機へ給水を行う洗濯機用ホースに関する発明である。
【背景技術】
【０００２】
従来の洗濯機用ホース２４は、特許文献１の発明のように日本工業規格及び日本水道協会の規格品の吐水口１０に日本電機工業会に基づき製品化されたホースカップリングを介して、自在ホーム水栓、湯水混合水栓等の器具と接続して使用している。また、異なる２つの規格の狭間にあるため水栓器具５の吐水口１０と給水ホース２の接続部分が取付不良になったり、脱落防止ロックレバー２５ｂの無い接続スライド付き給水ホース２を使用している場合もある。
【特許文献１】特開平１１−２９０５８２号公報
【発明の開示】
【発明が解決しようとする課題】
【０００３】
しかしながら、水栓器具５の吐水口１０への取付けは、４本のビスで吐水口１０の中心に平行になるように均一に締め付け、ゴム製のパッキン１２を介してカップリングを回し密着させて接続するが、取付けには熟練を要し、一般家庭または技術の程度の低い人が作業を行うと取付けが不十分な状態になってしまう。
【０００４】
通常、全自動の洗濯機７は、運転状態にすると脱水工程が完了するまで全自動で作業を行うので、人は洗濯機７より離れていることが多い。取付けが不十分だと、洗濯機７の止水、通水作動時の振動により吐水口１０の取付部分のビスが緩んで給水ホース２が脱落したり、ゴム製のパッキン１２のシール性不良等により漏水が発生したりする。
【０００５】
水栓器具５から給水ホース２を経て洗濯機７までの間には取外し可能な箇所がいくつか有り、何らかの原因でシール性不良、給水ホース２の脱落が発生し、漏水事故による経済的損失が多発している。
【０００６】
脱落防止ロックレバー２５ｂが役に立たないカップリング式の吐水口１０を持つ水栓器具５等では、給水ホース２の接続部分が外れやすく、給水ホース２が脱落して大量の漏水も発生している。
【０００７】
マンションやアパート等の高層集合住宅で漏水が発生した場合、発見が遅れれば階下まで水漏れが起こってしまい、多大な経済的損失になるばかりか、人間関係を悪化させることにもなる。
【０００８】
そこで、本発明は、何の技術を持っていない人でも簡単に水栓器具に取り付けることができ、漏水事故の発生も減らすことができる洗濯機用ホースを提供することを目的とするものである。
【課題を解決するための手段】
【０００９】
本発明は、上記の課題を解決するために、給水ホースの一端にはパイプを、前記給水ホースの他端には洗濯機側接続管を取り付け、前記パイプにはストッパー若しくはフランジを設け又はストッパーリングを嵌め込んで水栓器具に接続し、袋ナットにより前記パイプを固定することを特徴とする洗濯機用ホース、及びネジアダプタの一端には水栓器具に接続するメスネジを、前記ネジアダプタの他端には前記洗濯機用ホースに接続するオスネジを、前記ネジアダプタの外周にはスパナ口を設け、前記洗濯機用ホースに接続して使用することを特徴とする洗濯機用ホースの構成とした。
【発明の効果】
【００１０】
本発明は、以上の構成であるから以下の効果が得られる。第１に、吐水口１０のネジに合う袋ナット６を用い、吐水口１０に代えてパイプ３を接続するようにすることで、誰にでも簡単にしっかりと取り付けることが可能となる。
【００１１】
第２に、パイプ３は水栓器具５にしっかりと取り付けられ、給水ホース２の途中に取外し可能な箇所はないため、外れることによる漏水事故は起こりにくくなり、経済的損失が発生することもほとんど無くなる。
【００１２】
第３に、ネジアダプタ１８を用いることで、ほとんどの水栓器具５に対応させることができる。接続も洗濯機用ホース１を接続するときと同様に簡単で、しっかりと取り付けることができる。
【発明を実施するための最良の形態】
【００１３】
洗濯機側の接続部分は従来と同様のものを使用し、水栓器具５については吐水口１０を外すことができるものとする。
【実施例１】
【００１４】
以下に、添付図面に基づいて、本発明である洗濯機用ホースについて詳細に説明する。図１は、本発明である洗濯機用ホースを水栓器具及び洗濯機に接続した状態を示す図である。
【００１５】
洗濯機用ホース１は、給水ホース２、パイプ３、洗濯機側接続管４からなり、水栓器具５からの水を洗濯機７へ供給する。給水ホース２とパイプ３は留め金具２ａで、給水ホース２と洗濯機側接続管４は留め金具２ｂで固定することにより接続されている。パイプ３と水栓器具５は袋ナット６で固定され、洗濯機側接続管４は洗濯機７に嵌め込まれる。
【００１６】
給水ホース２は、軟質塩化ビニール等の材質で、内部を水が通過するため中空の管であり、水栓器具５と洗濯機７を繋ぐだけの長さを必要とする。一方にはパイプ３が差し込まれ、給水ホース２の端にアルミニウム等を筒状に巻いた留め金具２ａを締め付けることによって固定する。もう一方には、洗濯機側接続管４が接続され、同様に留め金具２ｂで固定する。
【００１７】
給水ホース２は、水栓器具５と洗濯機７の距離が一定でないため曲げたりする必要があるが、水漏れが起こらないようにある程度の肉厚のものである。また、多少曲げても水の通りが妨げられないくらいの太さも必要である。
【００１８】
留め金具２ａ及び留め金具２ｂは、共に給水ホース２を固定するために締め付けるものである。給水ホース２にパイプ３または洗濯機側接続管４の先端を差し込んだ際、給水ホース２を曲げたり、水圧が強くなったりすると、端の部分に力が掛かるため、水漏れや抜け落ちを防止するために取り付ける。
【００１９】
パイプ３は、給水ホース２同様に内部に水を通すため中空の管体でありね、水栓器具５と給水ホース２を繋ぐ部分である。一方は水栓器具５に接続して袋ナット６により締め付け、もう一方は給水ホース２に先端を差し込むようにして繋げる。
【００２０】
パイプ３は、水栓器具５の吐水口１０の代わりに取り付けるため、吐水口１０の接続部分と同様の形状をしている必要がある。材質についても同様に金属をしても良いが、安価なポリアセタール等の合成樹脂を用いることもできる。
【００２１】
洗濯機側接続管４は、日本電気工業会規格のもので、従来と同様である。洗濯機７に嵌め込むように取り付けるが、接続部分は洗濯機７側の給水口と形状が合っている必要があり、簡単に外れないようにしっかり固定する。
【００２２】
袋ナット６は、水栓器具５に吐水口１０を固定していたものと同様で、黄銅などの金属である。中心の孔にパイプ３を通し、水栓器具５のネジへ固定する。袋ナット６の側面には、ネジを締め易いように平らにした箇所がいくつか設けられている。
【００２３】
水栓器具５は、水道から水を供給するもので一般に使用されているものである。洗濯機７は全自動であり、洗濯機７に接続された洗濯機用ホース１から水を入れたり、止めたりすることを自動で行う。
【００２４】
図２は、本発明である洗濯機用ホースを水栓器具に接続した部分を示す図である。横水栓の水栓器具５に洗濯機用ホース１を接続した場合と、自在水栓の水栓器具５ａに洗濯機用ホース１を接続した場合を示している。
【００２５】
横水栓取付時８は、横水栓の水栓器具５に洗濯機用ホース１を接続した場合である。水栓器具５から吐水口１０を取り外した時、空いた面が横側にあり、パイプ３の給水ホース２を接続した方と反対側を嵌め込む。
【００２６】
パイプ３には、給水ホース２に差し込む前にあらかじめ袋ナット６を通しておき、パイプ３を水栓器具５に嵌め込んだ後にネジを締めてパイプ３が外れないように固定する。パイプ３の水栓器具５に接続する側にはストッパー１３が設けられているため、袋ナット６を締めた後にパイプ３が抜けてしまうということはない。
【００２７】
自在水栓取付時８ａは、自在水栓の水栓器具５ａに洗濯機用ホース１を接続した場合である。水栓器具５ａから吐水口１０ａを取り外した時、空いた面が下側にあり、パイプ３の給水ホース２を接続した方と反対側を嵌め込む。袋ナット６の締め付けについては、横水栓取付時８と同様である。
【００２８】
横水栓の水栓器具５であっても、自在水栓の水栓器具５ａであっても、また別の水栓器具であっても、パイプ３を嵌め込むことができ、かつ、袋ナット６を締め付けることができれば、接続することが可能である。
【００２９】
図３は、本発明である洗濯機用ホースを水栓器具に接続する手順を示す図である。横水栓の水栓器具５に洗濯機用ホース１を接続する場合と、自在水栓の水栓器具５ａに洗濯機用ホース１を接続する場合を示している。
【００３０】
横水栓取付時８は、横水栓の水栓器具５に洗濯機用ホース１を接続する場合である。最初、水栓器具５には吐水口１０が嵌め込まれ、袋ナット６ａで締め付けるられている。吐水口１０は横方向に出ており、先は下方向に曲がっていて、回転させれば上方向に向けることもできる。
【００３１】
袋ナット６ａのネジを緩め、袋ナット６ａごと吐水口１０を外して、洗濯機用ホース１を取り付ける。吐水口１０の代わりにパイプ３を嵌め込み、袋ナット６ａの代わりに袋ナット６で吐水口側ネジ９に締め付ける。
【００３２】
自在水栓取付時８ａは、自在水栓の水栓器具５ａに洗濯機用ホース１を接続する場合である。最初、水栓器具５ａには吐水口１０ａが嵌め込まれ、袋ナット６ｂで締め付けるられている。吐水口１０ａは下方向に出ており、先は横方向に伸びてから下方向に曲がっていて、回転させれば水を出す位置を変えることができる。
【００３３】
袋ナット６ｂのネジを緩め、袋ナット６ｂごと吐水口１０ａを外して、洗濯機用ホース１を取り付ける。吐水口１０ａの代わりにパイプ３を嵌め込み、袋ナット６ｂの代わりに袋ナット６で吐水口側ネジ９ａに締め付ける。
【００３４】
従来のように吐水口１０または吐水口１０ａの先端にビスで固定するよりも簡単に接続したり取り外すことが可能で、ビスにより吐水口１０または吐水口１０ａを傷めてしまうということもない。
【００３５】
吐水口１０または吐水口１０ａの接続部分と形状を合わせていることからしっかりと接続することができる。外れてしまったり、接触不良によって漏水等が発生することもほとんど無くなる。
【００３６】
図４及び図５は、本発明である洗濯機用ホースを水栓器具に接続した部分の断面図である。符号１１は固定タイプ、符号１１ａは回転タイプ、符号１１ｂはフランジタイプの断面を示している。実施例１においては、固定タイプ１１について説明する。
【００３７】
パイプ３の先端であるホース差込部分１４は、給水ホース２の内部に差し込まれる。反対側は水栓器具５の吐水口側ネジ９の内側に嵌め込まれる。略Ｌ字形に形成されているパイプ３はストッパー１３と一体化しており、パイプ３が奥に入りすぎたり抜けたりするのを防いでいる。
【００３８】
パイプ３と水栓器具５の間には、パッキン１２を入れる。パッキン１２は、ゴム製のＯリングやＵパッキンで、パイプ３の先端に通すように嵌め込む。パイプ３と水栓器具５を密着させて隙間ができないようにするものである。
【００３９】
パイプ３を嵌め込んだ後、袋ナット６で吐水口側ネジ９を締め付ける。袋ナット６の中心の孔はパイプ３に通されているが、ストッパー１３で止まるため、パイプ３が抜けてしまうことはない。
【００４０】
図６は、本発明である洗濯機用ホースを水栓器具から取り外した状態を示す図である。符号１６は取外し時を示しており、符号１６ａはパイプ接続部分を分解して示したものである。
【００４１】
取外し時１６において、断面形状がコ字状形の袋ナット６のネジを緩めて吐水口側ネジ９から外すと、パイプ３を水栓器具５から取り外すことができる。水栓器具５とパイプ３の間にはパッキン１２が入っており、吐水口側ネジ９の内周とパッキン１２の外周、パッキン１２の内周とパイプ３の先端の外周を密着させている。
【００４２】
袋ナット６は、ストッパー１３があるため水栓器具５側に取り外すことはできないが、パイプ３を給水ホース２から引き抜けば、給水ホース２側に出っ張り等がなければ取り外すことができる。
【００４３】
パイプ接続部分１６ａは、パイプ３、袋ナット６、給水ホース２をそれぞれ分けた状態である。パイプ３はストッパー１３が一体化した固定タイプ１１であるが、ストッパーリング１３ａにより回転可能とした回転タイプ１１ａや、ストッパー１３ではなくフランジ１３ｂにしたフランジタイプ１１ｂの場合もある。
【００４４】
パイプ３のホース差込部分１４は、先端を少し細くし、徐々に太くし、一旦へこましてまた太くしていくというのを数回繰り返す形状にすることで、給水ホース２に対して入れ易く、抜け難いものにしている。
【００４５】
袋ナット６はＷ２６×山２０というＪＩＳ規格のものである。パイプ３を通す部分は空いており、反対側の内側はネジ状になっている。側面はネジを締め易いように数箇所を平たく切り取った状態になっている。
【００４６】
給水ホース２にはホース差込部分１４を差し込むが、給水ホース２の端の部分は形状が変化しにくいように留め金具２ａを巻いて締め付けてある。給水ホース２の端に力が掛かり隙間が出来るのを抑えるためである。
【００４７】
図７及び図８は、本発明である洗濯機用ホースの水栓器具に接続するパイプの種類を示した図である。符号１７は固定タイプ、符号１７ａは回転タイプ、符号１７ｂはフランジタイプ、符号１７ｃはストレート固定タイプ、符号１７ｄはストレート回転タイプを示している。実施例１においては、固定タイプ１７及びストレート固定タイプ１７ｃについて説明する。
【００４８】
固定タイプ１７において、パイプ３は若干曲がった形状をしている。横水栓のように出口が横向きの場合、下を向いていた方が水が流れやすいからである。ストッパー１３はパイプ３と一体化しているため取り外すことができないし、回転することもない。
【００４９】
ホース差込部分１４は、パイプ３の他の部分よりも細くなっているが、水が通る内部の太さはほぼ同一である。水の通り道が狭くなる箇所は力が大きくなり、大きくなった力は弱くなっている箇所に加わってしまうからである。
【００５０】
ストレート固定タイプ１７ｃにおいて、パイプ３ｃは真っ直ぐな形状をしている。自在水栓のように出口が下向きの場合、空間を有効に使うことができる。ストッパー１３ｃ及びホース差込部分１４ｃについては、固定タイプ１７の場合と同様である。
【００５１】
固定タイプ１７及びストレート固定タイプ１７ｃは、ストッパー１３及びストッパー１３ｃが回転しないため、水栓器具５に取り付けた際、袋ナット６を締め付けると向きを変えることができない。
【００５２】
図９から図１１までは実施例４において説明する。図１２は、従来の洗濯機用ホースを水栓器具及び洗濯機に接続した状態を示す図である。
【００５３】
洗濯機用ホース２４は、給水ホース２、水栓器具側接続管２５、洗濯機側接続管４からなり、水栓器具５からの水を洗濯機７へ供給する。給水ホース２の先端にはホース側接続管２５ａがあり、給水ホース２とホース側接続管２５ａは留め金具２ａで、給水ホース２と洗濯機側接続管４は留め金具２ｂで固定することにより接続されている。洗濯機側接続管４は洗濯機７に嵌め込まれる。
【００５４】
吐水口１０及び袋ナット６は、水栓器具５から取り外さずにそのまま使用する。吐水口１０の先に水栓器具側接続管２５をビスで固定することにより取り付ける。ホース側接続管２５ａは、水栓器具側接続管２５に接続可能で、脱落防止ロックレバー２５ｂを水栓器具側接続管２５側に引っ掛けることにより外れるのを防止している。
【００５５】
水栓器具側接続管２５を吐水口１０に取り付けるのには技術を要する。全自動の洗濯機７の場合、取付不良があると振動により水栓器具側接続管２５のビスが緩んで脱落したり、パッキン１２の密着が弱くなったりする。全自動の洗濯機７が運転中の時は洗濯機より離れていることが多いので、漏水の発見が遅れれば被害は大きくなる。
【００５６】
水栓器具側接続管２５とホース側接続管２５ａは取り外し可能であるため、接続に不良があったり、脱落防止ロックレバー２５ｂが無い又は役に立たないものを使用した場合、パッキン１２の密着不良または給水ホース２の脱落等により漏水事故に繋がることもある。
【００５７】
漏水事故を起こしてしまうと、多大な経済的損失を受けてしまうだけでなく、マンションやアパートなどの高層集合住宅などでは発見が遅れれば階下まで水漏れが起こるなど周囲に迷惑を掛けたりして、人間関係の悪化にも繋がってしまう。
【実施例２】
【００５８】
図１から図３までは実施例１と同様である。図４及び図５は、本発明である洗濯機用ホースを水栓器具に接続した部分の断面図である。符号１１は固定タイプ、符号１１ａは回転タイプ、符号１１ｂはフランジタイプの断面を示している。実施例２においては、回転タイプ１１ａについて説明する。
【００５９】
パイプ３ａの先端であるホース差込部分１４ａには矢じり状にしかも凹凸に形成されていて、給水ホース２の内部に差し込まれる。反対側は水栓器具５の吐水口側ネジ９の内側に嵌め込まれる。パイプ３ａにはストッパーリング１３ａが取り付けられており、パイプ３ａが奥に入りすぎたり抜けたりするのを防いでいる。
【００６０】
ストッパーリング１３ａは、ポリアセタールやジュラコン等の合成樹脂で出来た輪状のもので、拡がるように輪の一部が空いている。内部に突起状の部分があり、パイプ３ａのストッパー嵌込溝１５に嵌め込む。ストッパー嵌込溝１５はパイプ３ａを一周するように存在するので、パイプ３ａを回転させることができる。
【００６１】
パイプ３ａと水栓器具５の間にはパッキン１２を入れる。パッキン１２は、ゴム製のＯリングやＵパッキンで、パイプ３の先端に通すように嵌め込む。パイプ３ａと水栓器具５を密着させて隙間ができないようにするものである。
【００６２】
パイプ３ａを嵌め込んだ後、袋ナット６で吐水口側ネジ９を締め付ける。袋ナット６の中心の孔はパイプ３ａに通されているが、ストッパーリング１３ａで止まるため、パイプ３ａが抜けてしまうことはない。
【００６３】
図６は実施例１と同様である。図７及び図８は、本発明である洗濯機用ホースの水栓器具に接続するパイプの種類を示した図である。符号１７は固定タイプ、符号１７ａは回転タイプ、符号１７ｂはフランジタイプ、符号１７ｃはストレート固定タイプ、符号１７ｄはストレート回転タイプを示している。実施例２においては、回転タイプ１７ａ及びストレート回転タイプ１７ｄについて説明する。
【００６４】
回転タイプ１７ａにおいて、パイプ３ａは若干曲がった形状をしている。横水栓のように出口が横向きの場合、下を向いていた方が水が流れやすいからである。ストッパーリング１３ａはパイプ３ａから取り外すことができる。
【００６５】
ストッパーリング１３ａは、内側にある突起状の部分を、パイプ３ａのストッパー嵌込溝１５に嵌め込むことにより固定されている。位置は移動しないためパイプ３ａが抜けるのを防止するが、パイプ３ａを回転させることは可能となっている。
【００６６】
ホース差込部分１４ａは、パイプ３ａの他の部分よりも細くなっているが、水が通る内部の太さはほぼ同一である。水の通り道が狭くなる箇所は力が大きくなり、大きくなった力は弱くなっている箇所に加わってしまうからである。
【００６７】
ストレート回転タイプ１７ｄにおいて、パイプ３ｄは真っ直ぐな形状をしている。自在水栓のように出口が下向きの場合、空間を有効に使うことができる。ストッパーリング１３ａ及びホース差込部分１４ｄについては、回転タイプ１７ａの場合と同様で、ストッパー嵌込溝１５ａにストッパーリング１３ａを嵌め込む。
【００６８】
回転タイプ１７ａ及びストレート回転タイプ１７ｄは、ストッパーリング１３ａが回転するため、水栓器具５に取り付けた際、袋ナット６を締め付けても回転させることにより向きを変えることができる。
【実施例３】
【００６９】
図１から図３までは実施例１と同様である。図４及び図５は、本発明である洗濯機用ホースを水栓器具に接続した部分の断面図である。符号１１は固定タイプ、符号１１ａは回転タイプ、符号１１ｂはフランジタイプの断面を示している。実施例３においては、フランジタイプ１１ｂについて説明する。
【００７０】
パイプ３ｂの先端であるホース差込部分１４ｂは、給水ホース２の内部に差し込まれる。反対側は水栓器具５の吐水口側ネジ９の内側に嵌め込まれる。パイプ３ｂの先端はフランジ１３ｂになっており、パイプ３ｂが奥に入りすぎたり抜けたりするのを防いでいる。
【００７１】
フランジ１３ｂは、パイプ３ｂの端をつば状に張り出させたもので、実施例１のストッパー１３と同様の役割を持つ。水栓器具５の接続部分の状態に応じて実施例１の固定型と使い分けすることができる。
【００７２】
パイプ３ｂと水栓器具５の間にはパッキン１２ａを入れる。パッキン１２ａは、ゴム製のＯリングやＵパッキンで、フランジ１３ｂの部分に当てる。パイプ３ｂと水栓器具５を密着させて隙間ができないようにするものである。
【００７３】
パイプ３ｂを嵌め込んだ後、袋ナット６で吐水口側ネジ９を締め付ける。袋ナット６の中心の孔はパイプ３ｂに通されているが、フランジ１３ｂで止まるため、パイプ３ｂが抜けてしまうことはない。
【００７４】
図６は実施例１と同様である。図７及び図８は、本発明である洗濯機用ホースの水栓器具に接続するパイプの種類を示した図である。符号１７は固定タイプ、符号１７ａは回転タイプ、符号１７ｂはフランジタイプ、符号１７ｃはストレート固定タイプ、符号１７ｄはストレート回転タイプを示している。実施例３においては、フランジタイプ１７ｂについて説明する。
【００７５】
フランジタイプ１７ｂにおいて、パイプ３ｂは若干曲がった形状をしている。横水栓のように出口が横向きの場合、下を向いていた方が水が流れやすいからである。フランジ１３ｂはパイプ３ｂの一部であるため取り外すことができないし、回転することもない。
【００７６】
ホース差込部分１４ｂ、パイプ３ｂの他の部分よりも細くなっているが、水が通る内部の太さはほぼ同一である。水の通り道が狭くなる箇所は力が大きくなり、大きくなった力は弱くなっている箇所に加わってしまうからである。
【００７７】
フランジタイプ１７ｂは、フランジ１３ｂが回転しないため、水栓器具５に取り付けた際、袋ナット６を締め付けると向きを変えることができない。フランジ１３ｂの場合、パイプ３ｂの先端を水栓器具５に嵌め込めない場合であっても接続でき、強度は固定タイプ１７の方が上になるものの、汎用的に使用することができる。
【実施例４】
【００７８】
図９は、本発明である洗濯機用ホースを形式の異なる水栓器具に接続する際のネジアダプタを示す図である。ネジアダプタ１８は、水栓器具５の吐水口１０のネジの規格がＷ２１．５×山２０のものであり、ネジアダプタ１８ａは、水栓器具５の吐水口１０のネジの規格がＧ１／２×山２０のものである。
【００７９】
ネジアダプタ１８及びネジアダプタ１８ａは、水栓器具５ｃ及び水栓器具５ｄと洗濯機用ホース１を繋ぐためのもので、管状で内部を水が通過する。メスネジ１９、１９ａ側もオスネジ２０、２０ａ側も接続部分の密着度を高めるためにパッキン１２を入れる。
【００８０】
メスネジ１９またはメスネジ１９ａは、水栓器具５ｃまたは水栓器具５ｄに接続する側である。内周がネジになっており、水栓器具５ｃまたは水栓器具５ｄの吐水口１０のネジの規格に合わせてある。パッキン１２を間に挟んだ後、水栓器具５ｃまたは水栓器具５ｄの吐水口側ネジ９に被せるようにしてネジを締め付ける。
【００８１】
オスネジ２０またはオスネジ２０ａは、洗濯機用ホース１に接続する側である。外周がネジになっており、ＪＩＳ規格であるＷ２６×山２０固定である。パッキン１２を間に挟んだ後、袋ナット６を被せるようにしてネジを締め付ける。
【００８２】
スパナ口２１またはスパナ口２１ａは、ネジアダプタ１８またはネジアダプタ１８ａを水栓器具５ｃまたは水栓器具５ｄに取り外しする際、ネジを締めたり緩めたりするためにスパナ等で押さえる箇所である。メスネジ１９またはメスネジ１９ａの外側の周上に何箇所か押さえやすい部分に設ける。
【００８３】
ネジアダプタ１８、１８ａ、またはそれ以外の規格に合わせたネジアダプタを用意しておけば、洗濯機用ホース１の袋ナット６の規格は統一したまま変更することなくほとんどの水栓器具５に対応することが可能となる。
【００８４】
図１０は、本発明である洗濯機用ホースを形式の異なる水栓器具にネジアダプタを使用して接続する手順を示す図である。Ｗ２６×山２０タイプ２２は、水栓器具５ｂの吐水口側ネジ９がＪＩＳ規格のネジであるため、ネジアダプタ１８またはネジアダプタ１８ａを使用せずにパイプ３を接続することができる。
【００８５】
Ｗ２１．５×山２０タイプ２２ａは、水栓器具５ｃの吐水口側ネジ９ｂの規格がＷ２１．５×山２０である場合にネジアダプタ１８を使用して接続する場合である。まず、メスネジ１９を吐水口側ネジ９ｂにパッキン１２を挟んで取り付ける。その際、スパナ口２１を利用してしっかりと締め付ける。
【００８６】
ネジアダプタ１８が接続されたら、給水ホース２に差し込んで留め金具２ａで締め付け済みのパイプ３をオスネジ２０にパッキン１２を挟んで取り付ける。パイプ３はオスネジ２０の内側に嵌め込むように接続し、袋ナット６によってオスネジ２０の外側のネジに締め付ける。
【００８７】
Ｇ１／２×山２０タイプ２２ｂは、水栓器具５ｄの吐水口側ネジ９ｃの規格がＧ１／２×山２０である場合にネジアダプタ１８ａを使用して接続する場合である。まず、メスネジ１９ａを吐水口側ネジ９ｃにパッキン１２を挟んで取り付ける。その際、スパナ口２１ａを利用してしっかりと締め付ける。
【００８８】
ネジアダプタ１８ａが接続されたら、給水ホース２に差し込んで留め金具２ａで締め付け済みのパイプ３をオスネジ２０ａにパッキン１２を挟んで取り付ける。パイプ３はオスネジ２０ａの内側に嵌め込むように接続し、袋ナット６によってオスネジ２０ａの外側のネジに締め付ける。
【００８９】
ネジアダプタ１８またはネジアダプタ１８ａが加わっても、接続方法はほぼ同じであるので簡単かつ確実に取り付けることができる。取り外す際も逆の手順により簡単に行うことができる。
【００９０】
図１１は、本発明である洗濯機用ホースを形式の異なる水栓器具にネジアダプタを使用して接続した状態を示す図及びその断面図である。符号２３はアダプタ使用時の状態を示したもので、符号２３ａはアダプタ使用時断面を示したものである。
【００９１】
アダプタ使用時２３では、水栓器具５ｃ、ネジアダプタ１８、パイプ３ａが接続された状態になっている。ネジアダプタ１８を利用すれば、水栓器具５ｃはどんな規格であってもそのまま使用でき、袋ナット６も一定のものだけ用意しておけばパイプ３ａを接続することができる。
【００９２】
ネジアダプタ１８のパイプ３ａ側は、Ｗ２６×山２０の水栓器具５の吐水口側ネジ９の形状に合わせて出来ているので、パイプ３ａの種類は関係なくネジアダプタ１８に接続することが可能である。
【００９３】
給水ホース２とパイプ３ａの接続部分を留め金具２ａで補強しているように接続部分は漏水に気を付けなくてはならない箇所である。ネジアダプタ１８については、接続部分にパッキン１２を入れて密着度を高め、スパナ口２１を設けることでしっかりと締め付けることができるようにしている。
【００９４】
アダプタ使用時断面２３ａはアダプタ使用時２３の断面であるが、パイプ３ａについては回転タイプ１１ａのものを使用している。水栓器具５ｃ、ネジアダプタ１８、パイプ３ａ、給水ホース２と繋がっていて、水が流れていく。
【００９５】
水栓器具５ｃとネジアダプタ１８の間にはパッキン１２ｂ、ネジアダプタ１８とパイプ３ａの間にはパッキン１２が入っていて、管の外側へ水が出て行かないようにしている。パイプ３ａまで来た水は、ホース差込部分１４から給水ホース２へ送られる。
【００９６】
パイプ３ａは回転タイプ１１ａなので、ストッパー嵌込溝１５にストッパーリング１３ａが取り付けられていて、パイプ３ａを回転させることができる。ストッパーリング１３ａは、パイプ３ａと袋ナット６を固定させる役割とネジアダプタ１８とパイプ３ａを固定する役割も持つ。
【００９７】
吐水口側ネジ９ｂには、メスネジ１９が締め付けられ、オスネジ２０には袋ナット６が締め付けられる。締付けにはスパナ口２１を利用する。締付けにより間のパッキン１２及びパッキン１２ｂはより密着され、水漏れを防ぐ。
【００９８】
ネジアダプタ１８も、水栓器具５ｃの吐水口１０の代わりに取り付けるという形式であるからしっかりと接続することができ、接続も簡単である。ネジアダプタ１８は、洗濯機用ホース１を様々な水栓器具５ｃに対応させることができる点で大いに役立つ。
【図面の簡単な説明】
【００９９】
【図１】本発明である洗濯機用ホースを水栓器具及び洗濯機に接続した状態を示す図である。
【図２】本発明である洗濯機用ホースを水栓器具に接続した部分を示す図である。
【図３】本発明である洗濯機用ホースを水栓器具に接続する手順を示す図である。
【図４】本発明である洗濯機用ホースを水栓器具に接続した部分の断面図である。
【図５】本発明である洗濯機用ホースを水栓器具に接続した部分の断面図である。
【図６】本発明である洗濯機用ホースを水栓器具から取り外した状態を示す図である。
【図７】本発明である洗濯機用ホースの水栓器具に接続するパイプの種類を示した図である。
【図８】本発明である洗濯機用ホースの水栓器具に接続するパイプの種類を示した図である。
【図９】本発明である洗濯機用ホースを形式の異なる水栓器具に接続する際のネジアダプタを示す図である。
【図１０】本発明である洗濯機用ホースを形式の異なる水栓器具にネジアダプタを使用して接続する手順を示す図である。
【図１１】本発明である洗濯機用ホースを形式の異なる水栓器具にネジアダプタを使用して接続した状態を示す図及びその断面図である。
【図１２】従来の洗濯機用ホースを水栓器具及び洗濯機に接続した状態を示す図である。
【符号の説明】
【０１００】
１        洗濯機用ホース
２        給水ホース
２ａ      留め金具
２ｂ      留め金具
３        パイプ
３ａ      パイプ
３ｂ      パイプ
３ｃ      パイプ
３ｄ      パイプ
４        洗濯機側接続管
５        水栓器具
５ａ      水栓器具
５ｂ      水栓器具
５ｃ      水栓器具
５ｄ      水栓器具
６        袋ナット
６ａ      袋ナット
６ｂ      袋ナット
７        洗濯機
８        横水栓取付時
８ａ      自在水栓取付時
９        吐水口側ネジ
９ａ      吐水口側ネジ
９ｂ      吐水口側ネジ
９ｃ      吐水口側ネジ
１０        吐水口
１０ａ      吐水口
１１        固定タイプ
１１ａ      回転タイプ
１１ｂ      フランジタイプ
１２        パッキン
１２ａ      パッキン
１２ｂ      パッキン
１３        ストッパー
１３ａ      ストッパーリング
１３ｂ      フランジ
１３ｃ      ストッパー
１４        ホース差込部分
１４ａ      ホース差込部分
１４ｂ      ホース差込部分
１４ｃ      ホース差込部分
１４ｄ      ホース差込部分
１５        ストッパー嵌込溝
１５ａ      ストッパー嵌込溝
１６        取外し時
１6ａ      パイプ接続部分
１７        固定タイプ
１７ａ      回転タイプ
１７ｂ      フランジタイプ
１７ｃ      ストレート固定タイプ
１７ｄ      ストレート回転タイプ
１８        ネジアダプタ
１８ａ      ネジアダプタ
１９        メスネジ
１９ａ      メスネジ
２０        オスネジ
２０ａ      オスネジ
２１        スパナ口
２１ａ      スパナ口
２２        Ｗ２６×山２０タイプ
２２ａ      Ｗ２１．５×山２０タイプ
２２ｂ      Ｇ１／２×山２０タイプ
２３        アダプタ使用時
２３ａ      アダプタ使用時断面
２４        洗濯機用ホース
２５        水栓器具側接続管
２５ａ      ホース側接続管
２５ｂ      脱落防止ロックレバー
【図１】
2005058467.tif 000003
【図２】
2005058467.tif 000004
【図３】
2005058467.tif 000005
【図４】
2005058467.tif 000006
【図５】
2005058467.tif 000007
【図６】
2005058467.tif 000008
【図７】
2005058467.tif 000009
【図８】
2005058467.tif 000010
【図９】
2005058467.tif 000011
【図１０】
2005058467.tif 000012
【図１１】
2005058467.tif 000013
【図１２】
2005058467.tif 000014